(57)【要約】【課題】シート幅と略同じ大きさの物体を収納することができる収納ケースを提供する。【解決手段】四角形状をなし、対向する二つのシートと、該二つのシートにおける三辺をそれぞれ接続する三つのマチと、前記二つのシートにおける残余の一辺に取り付けられたファスナとを備える収納ケースにおいて、前記ファスナは、前記二つのシートそれぞれの前記残余の一辺に取り付けられた二つのレールと、該二つのレールに沿って摺動し、前記二つのレールの結合又は分離を行うスライダとを有し、前記二つのレールそれぞれの一端部は前記シートの外側に突出しており、前記二つのレールそれぞれの他端部は非連結であることを特徴とする収納ケース。【選択図】図２
2017081583.tif 000002
【特許請求の範囲】
【請求項１】
四角形状をなし、対向する二つのシートと、該二つのシートにおける三辺をそれぞれ接続する三つのマチと、前記二つのシートにおける残余の一辺に取り付けられたファスナとを備える収納ケースにおいて、
前記ファスナは、
前記二つのシートそれぞれの前記残余の一辺に取り付けられた二つのレールと、
該二つのレールに沿って摺動し、前記二つのレールの結合又は分離を行うスライダと
を有し、
前記二つのレールそれぞれの一端部は前記シートの外側に突出しており、
前記二つのレールそれぞれの他端部は非連結であること
を特徴とする収納ケース。
【請求項２】
前記レールの一端部に補強板が設けられていること
を特徴とする請求項１に記載の収納ケース。
【請求項３】
前記補強板に貫通孔が設けられていること
を特徴とする請求項２に記載の収納ケース。
【発明の詳細な説明】
【技術分野】
【０００１】
本発明は、物体を収納する収納ケースに関する。
【背景技術】
【０００２】
従来、対向する二つのシートの三辺をマチによって連結した収納用ケースが提案されている（例えば特許文献１参照）。二つのシートの残余の一辺にはファスナが設けられている。該ファスナは、前記残余の一辺にそれぞれ取り付けられた二つのレールと、該二つのレールを摺動し、二つのレールの係合又は分離を行うスライダとを備える。収納用ケースは、マチの無い収納用ケースに比べて、より厚みの大きい物体を収容することができる。
【先行技術文献】
【特許文献】
【０００３】
【特許文献１】特許第４８０９８７９号公報
【発明の概要】
【発明が解決しようとする課題】
【０００４】
スライダは、レールに沿って、前記他の一辺の両端間を移動する。スライダを一方向に移動させて、ファスナを全開にした場合、スライダは前記他の一辺の上に位置する。即ち、ファスナを全開した場合、前記他の一辺に平行な方向（横方向）において、ファスナの開口の横幅は、前記他の一辺の横幅（シートの横幅）よりも小さい。そのため、シートの横幅と略同じ大きさの物体を収納用ケースに収納することは難しい。
【０００５】
本発明は斯かる事情に鑑みてなされたものであり、シート幅と略同じ大きさの物体を収納することができる収納ケースを提供することを目的とする。
【課題を解決するための手段】
【０００６】
本発明に係る収納ケースは、四角形状をなし、対向する二つのシートと、該二つのシートにおける三辺をそれぞれ接続する三つのマチと、前記二つのシートにおける残余の一辺に取り付けられたファスナとを備える収納ケースにおいて、前記ファスナは、前記二つのシートそれぞれの前記残余の一辺に取り付けられた二つのレールと、該二つのレールに沿って摺動し、前記二つのレールの結合又は分離を行うスライダとを有し、前記二つのレールそれぞれの一端部は前記シートの外側に突出しており、前記二つのレールそれぞれの他端部は非連結であることを特徴とする。
【０００７】
本発明においては、レールの一端部がシートよりも外側に突出している。一方、レールの他端部は連結されていない。ファスナを開く場合、ユーザはスライダを前記一端部側に移動させる。ファスナを全開させた場合に、スライダは前記一端部よりも外側に位置し、開口の横幅をシートの横幅よりも大きくさせることができる。またレールの他端部は連結されていないので、レールの他端部において、二つのシートを対向方向に離間させることができる。
【０００８】
本発明に係る収納ケースは、前記レールの一端部に補強板が設けられていることを特徴とする。
【０００９】
本発明においては、補強板によって、シートの外側に位置するレールの一端部が安定し、二つのレールの結合又は分離を円滑に行うことができる。
【００１０】
本発明に係る収納ケースは、前記補強板に貫通孔が設けられていることを特徴とする。
【００１１】
本発明においては、貫通孔にフック等を挿入し、収納ケースを引っ掛けて保管することができる。
【発明の効果】
【００１２】
本発明に係る収納ケースにあっては、レールの一端部がシートの外側に突出している。一方、レールの他端部は連結されていない。ファスナを開く場合、ユーザはスライダを前記一端部側に移動させる。ファスナを全開にした場合に、スライダはシートよりも外側に位置し、またレールの他端部は連結されていないので、シートの横幅全体に亘って、二つのシートは対向方向に離間する。すなわち、ファスナを全開にした場合に、開口の横幅を少なくともシートの横幅と同じにし、シートの横幅と略同じ大きさの物体を収納することができる。
【図面の簡単な説明】
【００１３】
【図１】ファスナを開き且つ第１マチ部〜第３マチ部を展開した収納ケースを略示する正面図である。
【図２】ファスナを開き且つ第１マチ部〜第３マチ部を展開した収納ケースを略示する斜視図である。
【図３】ファスナを閉じ且つ第１マチ部〜第３マチ部を折り畳んだ収納ケースを略示する斜視図である。
【発明を実施するための形態】
【００１４】
以下本発明を実施の形態に係る収納ケースを示す図面に基づいて説明する。図１は、ファスナを開き且つ第１マチ部〜第３マチ部を展開した収納ケースを略示する正面図、図２は、ファスナを開き且つ第１マチ部〜第３マチ部を展開した収納ケースを略示する斜視図である。
【００１５】
収納ケースは、横長矩形の第１シート１と、該第１シート１に対向する横長矩形の第２シート２とを備える。第１シート１の縦横寸法と第２シート２の縦横寸法とは略同じである。第１シート１は、第１長辺１ａと、第２長辺１ｂと、第１短辺１ｃと、第２短辺１ｄとを備える。第２シート２は、第３長辺２ａと、第４長辺２ｂと、第３短辺２ｃと、第４短辺２ｄとを備える。第１長辺１ａと第３長辺２ａとは互いに対向しており、第１マチ部１１によって連結されている。第１マチ部１１は、第１シート１及び第２シート２の長手方向に延びた矩形のシート状をなす。第１マチ部１１の二つの長辺は、第１長辺１ａ及び第３長辺２ａにそれぞれ連結している。
【００１６】
第１短辺１ｃと、第３短辺２ｃとは互いに対向しており、第２マチ部１２によって連結されている。第２マチ部１２は、第１短辺１ｃ及び第３短辺２ｃに平行な方向に延びた矩形のシート状をなす。第２マチ部１２の二つの長辺は、第１短辺１ｃ及び第３短辺２ｃにそれぞれ連結している。第２マチ部１２の一方の短辺は、第１マチ部１１の一方の短辺に連結している。
【００１７】
第２短辺１ｄと、第４短辺２ｄとは互いに対向しており、第３マチ部１３によって連結されている。第３マチ部１３は、第２短辺１ｄ及び第４短辺２ｄに平行な方向に延びた矩形のシート状をなす。第３マチ部１３の二つの長辺は、第２短辺１ｄ及び第４短辺２ｄにそれぞれ連結している。第３マチ部１３の一方の短辺は、第１マチ部１１の他方の短辺に連結している。
【００１８】
第１マチ部１１〜第３マチ部１３には折り目１５がそれぞれ設けられており、第１マチ部１１〜第３マチ部１３は、折り目１５に沿って内側に折り畳まれる（後述する図３参照）。
【００１９】
第２長辺１ｂ及び第４長辺２ｂにはファスナ２０が設けられている。ファスナ２０は、第１レール２１、第２レール２２及びスライダ２３を備える。第１レール２１及び第２レール２２は、第２長辺１ｂ及び第４長辺２ｂにそれぞれ設けられている。第１レール２１及び第２レール２２は第２長辺１ｂ及び第４長辺２ｂに沿って延びている。
【００２０】
第１レール２１の第２マチ部１２側の端部は第２マチ部１２よりも外側に突出している（以下、第１レール２１における第２マチ部１２よりも外側に突出した部分を第１突出部２１ａという）。第１突出部２１ａの長さ寸法は、例えば第１レール２１の長さ寸法の１／１３程度である。
【００２１】
第１短辺１ｃ及び第１突出部２１ａに四角形状をなす補強板２６が連結している。補強板２６の二辺が前記短辺のファスナ２０側端部及び第１突出部２１ａにそれぞれ連結している。補強板２６は、前記第１突出部２１ａの略全幅に亘って、前記第１突出部２１ａに連結し、且つ、第１短辺１ｃの一部に連結している。第１短辺１ｃの一部は、例えば第１短辺１ｃの寸法の１／１１程度の長さに相当する部分である。補強板２６には貫通孔２６ａが設けられている。
【００２２】
第１レール２１における第３マチ部１３側の端部２１ｂは、第１シート１から外側に、ほとんど突出していない。前記端部２１ｂ及び第１突出部２１ａの先端部分それぞれに抜け止め２５が設けられている。抜け止め２５は、第１シート１に垂直な方向において、第１レール２１から外向きに僅かに突出している。
【００２３】
第２レール２２における第２マチ部１２側の端部は第２マチ部１２よりも外側に突出している（以下、第２レール２２における第２マチ部１２よりも外側に突出した部分を第２突出部２２ａという）。第２突出部２２ａの長さ寸法は、第１突出部２１ａの長さ寸法と略同じである。第１突出部２１ａ及び第２突出部２２ａそれぞれの先端部分は一体的に連なっている。第２レール２２の第３マチ部１３側の端部２２ｂは、第１シート１から外側に、ほとんど突出していない。
【００２４】
第１レール２１の第２レール２２に対向する部分に、第１レール２１に沿った凹溝（図示略）が形成されている。第２レール２２の第１レール２１に対向する部分には、第２レール２２に沿った凸条（図示略）が形成されている。凸条が凹溝に嵌合することによって、ファスナ２０が閉じられる。なお突条を第１レール２１に形成し、凹溝を第２レール２２に形成してもよい。スライダ２３は第１レール２１及び第２レール２２に摺動可能に設けられている。
【００２５】
図３は、ファスナ２０を閉じ且つ第１マチ部１１〜第３マチ部１３を折り畳んだ収納ケースを略示する斜視図である。スライダ２３が、第１レール２１及び第２レール２２を、第１突出部２１ａ及び第２突出部２２ａの反対側に移動した場合、凸条が凹溝に嵌合し、ファスナ２０が閉じられる。第１レール２１の端部２１ｂに抜け止め２５が設けられているので、スライダ２３は第１レール２１及び第２レール２２から抜けない。
【００２６】
なお図３において、第１マチ部１１〜第３マチ部１３が折り畳まれているが、物体を収容して、ファスナ２０を閉じる場合には、第１マチ部１１〜第３マチ部１３が展開した状態で、ファスナ２０を閉じることができる。
【００２７】
スライダ２３が、第１レール２１及び第２レール２２を、第１突出部２１ａ及び第２突出部２２ａ側に移動した場合、図１に示すように、凸条と凹溝との嵌合が解除され、ファスナ２０が開き、物体を収納するか又は取り出すための開口３０が形成される。第１突出部２１ａに抜け止め２５が設けられているので、スライダ２３は第１レール２１及び第２レール２２から抜けない。
【００２８】
実施の形態に係る収納ケースにあっては、ファスナ２０を全開にした場合に、スライダ２３は第１突出部２１ａ及第２突出部２２ａに位置する。換言すれば、スライダ２３は第１シート１及び第２シート２の外側に位置する。また、第３マチ部１３側において、第１レール２１の端部２１ｂ及び第２レール２２の端部２２ｂは連結されていない。
【００２９】
そのため、ファスナ２０を全開にした場合に、第１シート１及び第２シート２の横幅全体に亘って、第１シート１及び第２シート２を対向方向に、容易に離間させることができる。すなわち、ファスナ２０を全開にした場合に、開口３０の横幅を少なくとも第１シート１及び第２シート２の長辺１ａ、１ｂ、２ａ、２ｂと同じ寸法にし、第１シート１及び第２シート２の長辺寸法と略同じ寸法を有する物体を収納することができる。
【００３０】
また補強板２６によって、第１突出部２１ａが安定する。そのため、第１レール２１及び第２レール２２が結合した場合には、第１突出部２１ａに結合した第２突出部２２ａも安定する。ファスナ２０を開く場合においても、第１突出部２１ａ及び第２突出部２２ａが安定しているので、円滑に第１レール２１及び第２レール２２を分離させることができる。
【００３１】
第１突出部２１ａ及び第２突出部２２ａは、第１シート１及び第２シート２の外側に位置し、補強板２６が無い場合、不安定になり易い。第１突出部２１ａ及び第２突出部２２ａが不安定になっている場合、第１レール２１及び第２レール２２が結合されていても、不安定な部分、すなわち、第１突出部２１ａ及び第２突出部２２ａが分離し、ファスナ２０が意図せずに開くおそれがある。補強板２６を設けることによって、ファスナ２０が意図せずに開くことを防止することができる。
【００３２】
また補強板２６に設けた貫通孔２６ａにフック等を挿入することによって、収納ケースを引っ掛けて保管することができる。
【００３３】
実施の形態においては、第１レール２１の端部２１ｂ及び第１突出部２１ａに抜け止め２５を設けているが、第２レール２２の端部２２ｂ及び第２突出部２２ａに抜け止め２５を設けてもよい。
【００３４】
実施の形態においては、第１レール２１及び第１シート１に補強板２６を設けているが、第２レール２２及び第２シート２に補強板２６を設けてもよい。また第１レール２１及び第１シート１と、第２レール２２及び第２シート２とに二つの補強板２６をそれぞれ設けてもよい。この場合、二つの補強板２６は、第２マチ部１２の展開及び折り畳みを実行できるように、互いに独立して設けられる。
【００３５】
また第１シート１及び第２シート２の形状は横長矩形に限定されず、縦長矩形又は正方形でもよい。
【００３６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３７】
１  第１シート
２  第２シート
１１  第１マチ部
１２  第２マチ部
１３  第３マチ部
２０  ファスナ
２１  第１レール
２１ａ  第１突出部（レールの一端部）
２１ｂ  端部（レールの他端部）
２２  第２レール
２２ａ  第２突出部（レールの一端部）
２２ｂ  端部（レールの他端部）
２３  スライダ
２６  補強板
２６ａ  貫通孔
【図１】
2017081583.tif 000003
【図２】
2017081583.tif 000004
【図３】
2017081583.tif 000005